(57)【要約】  【課題】  従来から、使用者が任意に通話方法をテレビ通話から音声通話に、あるいはその逆に切り替えることができるテレビ電話装置は提案されているが、切替指示に対して強制的に切替を行なうため、相手側の了承なしにテレビ通話へ切り替わるという課題が生じていた。【解決手段】  本発明は、第一の回線を用いて他の通信端末と通信中に、第二の回線を用いた回線に切り換える通信端末を提案するものである。このとき、通信中の回線種等を識別するための回線種識別情報に基づいて、利用者に対して回線変更の確認（回線変更認証）を実行するか判断できる。また、回線変更認証の入力を利用者に促す場合には、回線種識別情報に基づいて複数の報知手段から選択できる。加えて、回線変更が完了した場合に、これを報知することもできる。【選択図】            図２
2006253898.tif 000002
【特許請求の範囲】
【請求項１】
第一の回線を用いて他の通信端末と通信中に第二の回線を用いた通信に切り換える通信端末において、
通信中の相手通信端末から回線変更要求を受信する回線変更要求受信部と、
前記回線変更要求に対応した回線変更を実行するか判断する回線変更判断部と、
前記回線変更判断部での判断結果に基づいて前記回線変更要求に対応する処理を実行する処理部と、
を有する通信端末。
【請求項２】
前記回線変更判断部は、
通信中の回線種又は／及び変更先の回線種を識別する回線種識別情報を取得する回線種識別情報取得手段と、
前記回線種識別情報に基づいて、利用者に対して接続変更に関する認証である回線変更認証を実行するか判断する回線変更認証実行判断手段と、を有し、
前記処理部は、
前記回線変更認証が行われた場合に回線変更認証結果に応じて回線変更のための処理を実行する回線変更認証結果依存処理手段を有する
請求項１に記載の通信端末。
【請求項３】
前記回線変更判断部は、
前記回線変更認証の入力を促すための回線変更認証報知手段を有し、
前記回線変更認証報知手段は前記回線種識別情報に基づいて複数の報知手段から選択することを特徴とする請求項２に記載の通信端末。
【請求項４】
前記処理部は、
回線変更の完了を示す回線変更完了情報を取得する回線変更完了情報取得手段と、
前記回線変更完了情報取得手段が前記回線変更完了情報を取得した場合に報知を行う接続完了報知手段を有し、
前記接続完了報知手段は前記回線種識別情報に基づいて複数の報知手段から選択することを特徴とする請求項１に記載の通信端末。
【請求項５】
利用者の部位が通信端末より所定量離れたか判断する離間判断部と、
前記離間判断部での判断結果に応じて入出力モードを切り換える入出力切換部と、
前記入出力切替部の切り換えをトリガーとして、回線変更に関する入力を促すための回線変更促進画面を出力するための回線変更出力部と、
を有する請求項１に記載の通信端末。
【請求項６】
前記第一の回線はテレビ電話回線であることを特徴とし、
前記第二の回線は音声専用電話回線であることを特徴とする
請求項１から５に記載の通信端末。
【請求項７】
前記第一の回線は音声専用電話回線であることを特徴とし、
前記第二の回線はテレビ電話回線であることを特徴とする
請求項１から５に記載の通信端末。
【請求項８】
一方の回線を利用して通話中の請求項１から７のいずれか一に記載の通信装置との回線を、他回線へ切り換える要求である回線変更要求を出力するための回線変更要求出力部
を有する通信端末。
【請求項９】
通信中の相手通信端末が利用可能な回線種を識別する相手回線種識別情報を取得する相手回線種識別情報取得部と、
前記相手回線種識別情報に基づいて、回線変更のための入力を無効にする回線変更入力無効部と、
を有する請求項８に記載の通信端末。
【請求項１０】
利用者の部位が通信端末より所定量離れたか判断する離間判断部と、
前記離間判断部での判断結果に応じて入出力モードを切り換える入出力切換部と、
を有し、
前記回線変更要求出力部は、前記入出力切替部の切り換えをトリガーとして、一方の回線を利用して通話中の請求項１から８のいずれか一に記載の通信装置との回線を、他回線へ切り換える要求である回線変更要求を出力する
請求項８に記載の通信端末。
【請求項１１】
第一の回線を用いて他の通信端末と通信中に第二の回線を用いた通信に切り換える通信端末での接続切替方法において、
通信中の相手通信端末から回線変更要求を受信する回線変更要求受信ステップと、
前記回線変更要求に対応した回線変更を実行するか判断する回線変更判断ステップと、
通信中の回線種又は／及び変更先の回線種を識別する回線種識別情報を取得する回線種識別情報取得ステップと、
前記回線種識別情報に基づいて、利用者に対して接続変更に関する認証である回線変更認証を実行するか判断する回線変更認証実行判断ステップと、
前記回線変更判断ステップでの判断結果に基づいて前記回線変更要求に対応する処理を実行する処理ステップと、
を有し、
前記処理ステップは、
前記回線変更認証が行われた場合に回線変更認証結果に応じて回線変更のための処理を実行する接続切替方法。
【発明の詳細な説明】
【技術分野】
【０００１】
本発明は、テレビ電話装置などの通信端末に関するものである。
【背景技術】
【０００２】
従来から、使用者が任意に通話方法をテレビ通話から音声通話に、あるいは音声通話からテレビ通話に切り替えることができるテレビ電話装置は提案されている（特許文献１参照）。
【特許文献１】特開２００４−２２１７３８号公報
【発明の開示】
【発明が解決しようとする課題】
【０００３】
しかしながら、上記テレビ電話装置では、切替指示に対して強制的に切替を行なうため、相手側の了承なしにテレビ通話へ切り替わるという課題が生じていた。また、通話相手の装置がテレビ電話に対応しているかどうかが不明なため、無意味な指示を行なう可能性があった。
【課題を解決するための手段】
【０００４】
本発明は、かかる実情に鑑み、第一の回線を用いて他の通信端末と通信中に、第二の回線を用いた回線に切り換える通信端末を提案するものである。このとき、通信中の回線種等を識別するための回線種識別情報に基づいて、利用者に対して回線変更の確認（回線変更認証）を実行するか判断できる。また、回線変更認証の入力を利用者に促す場合には、回線種識別情報に基づいて複数の報知手段から選択できる。加えて、回線変更が完了した場合に、これを報知することもできる。
【０００５】
また、利用者の耳などの部位が通信端末より所定量離れたかの判断結果に応じて入出力モードを切り換え、さらに、その切り換えをトリガーとして、回線変更に関する入力を促すための回線変更促進画面を出力する場合や、通話中の通信装置との回線を、他回線へ切り換える要求である回線変更要求を出力する場合がある。
【０００６】
また、相手通信端末が利用可能な回線種を識別する相手回線種識別情報に基づいて、回線変更のための入力を無効にすることもできる。
【発明の効果】
【０００７】
以上、説明したように本件発明のいずれか一又は二以上の発明に係る通信端末において、回線種識別情報に基づいて、例えば、テレビ電話回線から音声専用回線への切り替えは回線変更認証の実行なしに即座に実行し、音声専用回線からテレビ電話回線への切り替えは回線変更認証を実行すると判断できる。これにより、音声通話を行なっていた状態で、急に映像が映し出されることが利用者の心理的負担があることを考慮し、前もって回線の切替に対処することができる。また、回線種識別情報に基づいて切替前における利用者の様子（表示画面を視認しているかどうかなど）を想定し、もっとも適切な報知手段にて回線変更認証の入力を促すことができるため利便性が高い。加えて、回線変更が完了した場合に、これを報知する場合には、急に回線が切り替わった場合でも困惑することなく、他回線に対応する通話方法の体勢を整えることができるという利点を有する。このような回線の切替に伴い生じる種々の問題に対する解決手段は、テレビ電話装置以外の一般的な通信端末においても活用できる。
【０００８】
また、利用者の耳などの部位が通信端末より所定量離れたかの判断結果に応じて入出力モードを切り換える場合には、利用者の通信端末の利用の仕方によって自動的に通常モードと、ハンズフリーモード等の入出力モードの切り替えがなされ便利である。さらに、その切り換えをトリガーとして、回線変更に関する入力を促すための回線変更促進画面を出力する場合や、通話中の通信装置との回線を、他回線へ切り換える要求である回線変更要求を出力する場合には、自動的に行われる入出力モードの切り替えと連動してそれら処理が行なわれるため、さらに利便性が高いといえる。
【０００９】
また、相手通信端末が利用可能な回線種を識別する相手回線種識別情報に基づいて、回線変更のための入力を無効にすることができる場合には、相手利用者の通信端末にテレビ電話機能が備えられていない場合に、余計な回線変更要求を行なうことを防止できる。
【発明を実施するための最良の形態】
【００１０】
以下に、各発明を実施するための最良の形態を説明する。なお、本発明はこれら実施の形態に何ら限定されるものではなく、その要旨を逸脱しない範囲において、種々なる態様で実施しうる。
【００１１】
実施形態１は、主に請求項１、６、７、８などについて説明する。  実施形態２は、主に請求項２、１１などについて説明する。  実施形態３は、主に請求項３などについて説明する。  実施形態４は、主に請求項４などについて説明する。  実施形態５は、主に請求項５などについて説明する。  実施形態６は、主に請求項９などについて説明する。  実施形態７は、主に請求項１０などについて説明する。
【００１２】
<<実施形態１>>
【００１３】
<実施形態１：概要>  実施形態１について説明する。本実施形態は、第一の回線を用いて他の通信端末と通信中に、第二の回線を用いた回線に切り換える通信端末である。
【００１４】
図１は、本実施形態の概念の一例を示すものである。図では一例として、本実施形態の通信端末を利用して二者間で音声接続による通話を行っていたところ、途中でテレビ電話接続に切り替える場面を示した。すでに、通話相手である右側の通信端末からの発呼に、左側の通信端末が応答して接続が開始されているものとする。まず、相手端末から他回線への回線変更要求が出力され、自端末はこれを受信する（１）。ここでは、音声接続からテレビ電話接続への接続変更の要求が通話中の相手から出力されているものとする。続いて、回線変更要求に対応した回線変更を実行すべきか判断する（２）。この判断結果に基づいて前記回線変更に対応する処理を実行する（３）。回線変更可能との判断結果の場合には、自端末、及び、相手端末にて音声専用電話回線からテレビ電話回線への回線変更の切替が行なわれ、通信端末の表示画面には通話相手が表示される。
【００１５】
なお、ここでは第一の回線は音声専用電話回線で、第二の回線はテレビ電話回線である態様を示したが、これに限定されるものではなく、逆に第一の回線はテレビ電話回線で、第二の回線は音声専用電話回線である場合もある。
【００１６】
<実施形態１：構成>  本実施形態での機能ブロックの一例を図２に示した。  図２に示す本実施形態の「通信端末」（０２００）は、「回線変更要求受信部」（０２０１）と、「回線変更判断部」（０２０２）と、「処理部」（０２０３）とを有する。
【００１７】
なお、通話相手の通信端末（０２１０）を参考までに示した。通話相手のテレビ電話装置（０２１０）は、「回線変更要求出力部」（０２１１）を有する。その他、図示していないが、同様に「回線変更要求受信部」と、「回線変更判断部」と、「処理部」を有するとしてもよい。
【００１８】
本件発明の構成要素である各部は、ハードウエア、ソフトウエア、ハードウエアとソフトウエアの両者、のいずれかによって構成される。たとえば、これらを実現する一例として、コンピュータを利用する場合には、ＣＰＵ、メモリ、バス、インターフェイス、周辺装置などから構成されるハードウエアと、これらのハードウエア上にて実行可能なソフトウエアを挙げることができる。  具体的には、メモリ上に展開されたプログラムを順次実行することで、メモリ上のデータや、インターフェイスを介して入力されるデータの加工、蓄積、出力などにより各部の機能が実現される。（本明細書の全体を通じて同様である。）
【００１９】
「通信端末」（０２００）は、第一の回線を用いて他の通信端末と通信中に、第二の回線を用いた通信に切り換えることが可能であり、通話相手との通話の際には前記回線のいずれかを利用して通話することができる装置である。「回線」とは、二者間を接続する経路をいう。第一の回線は音声専用電話回線で、第二の回線はテレビ電話回線であるとしてもよいし、逆に第一の回線はテレビ電話回線で、第二の回線は音声専用電話回線である場合もある。その他、インターネット回線、パケット通信回線、ＩＰ電話回線、ケーブルＴＶ回線、専用回線、無線通信回線などが該当する場合もある。以下本明細書において、特に音声専用電話回線、及び、テレビ電話回線の回線変更について説明を行うが、他の回線を除外するものではない。
【００２０】
本通信端末は、固定電話だけでなく、携帯電話などでも実現できる。二者間の通話において、必ずしも双方が本通信端末である必要はなく、片方が例えばテレビ電話回線を有さない場合には音声専用電話回線を利用して音声通話ができるとしてもよい。
【００２１】
「回線変更要求受信部」（０２０１）は、通信中の相手通信端末から回線変更要求を受信する。「回線変更要求」は、第一の回線を用いて他の通信端末と通信中に、第二の回線を用いた通信に切り換えるための要求である。回線変更要求は、片方の通信端末からの発呼に、他方の通信端末が応答することによって、通信端末同士ですでに通信接続が開始されている場合にのみ受信できるとしてもよい。
【００２２】
「回線変更判断部」（０２０２）は、前記回線変更要求に対応した回線変更を実行するか判断する。このときの判断手法としては、例えば、回線変更要求が利用中のテレビ電話回線を音声専用回線に切り替えることを要求する場合には回線変更を実行するとの判断を行うこととするが、他方、回線変更要求が利用中の音声専用回線をテレビ電話回線に切り替えることを要求する場合には回線変更を実行しないとの判断を行う、あるいは、利用者に対して接続変更に関する認証である回線変更認証の入力を促すとともに、前記回線変更認証の入力により利用者が回線変更を認める場合にのみ回線変更を実行するとの判断を行なうこととしてもよい。これについての詳細は、実施形態２以降にて詳述する。
【００２３】
「処理部」（０２０３）は、前記回線変更判断部（０２０２）での判断結果に基づいて前記回線変更要求に対応する処理を実行する。具体的には、利用中の音声専用回線をテレビ電話回線に切り替える回線変更が可能との判断結果の場合には、自端末にて音声専用電話回線からテレビ電話回線への回線変更の切替が行なわれ、自端末の表示画面に通話相手が表示される。逆に、利用中のテレビ電話回線を音声専用回線に切り替える回線変更が可能との判断結果の場合には、自端末にてテレビ電話回線から音声専用電話回線への回線変更の切替が行なわれ、自端末の表示画面の通話相手映像表示が消える。
【００２４】
通話相手の通信端末にかかる「回線変更要求出力部」（０２１１）は、一方の回線を利用して通話中の通信装置との回線を、他回線へ切り換える要求である回線変更要求を出力するための処理を行う。回線変更要求の出力は、ボタン操作や、音声による指示などにより行なわれることが想定される。その他、利用者の耳が通信装置から所定量離れたことの検知などにより行なわれるとしてもよい。これについては、実施形態５以降にて詳述する。
【００２５】
また、回線変更要求を出力した端末においても、回線変更判断部での判断結果に基づいて回線変更処理を実行する。例えば、回線変更要求受信側端末が回線変更を行う場合には回線変更要求出力側端末においても回線変更の切替を行うとの判断を行い、回線変更処理を行うとしてもよい。
【００２６】
<実施形態１：処理の流れ>  図３は、実施形態１における第一の回線を用いて他の通信端末と通信中に第二の回線を用いた通信に切り換える通信端末での接続切替方法の流れの一例を示したものである。前提として、すでに、通信端末同士の接続は開始されているものとする。まず、通信中の相手通信端末は、回線変更要求を出力し（回線変更要求出力ステップ  Ｓ０３０１）、自端末は、前記回線変更要求を受信する（回線変更要求受信ステップ  Ｓ０３０２）。次に、回線変更要求に対応した回線変更を実行するか判断する（回線変更要求判断ステップ  Ｓ０３０３）。このとき、回線変更要求に対応した回線変更を実行するとの判断結果の場合には、回線変更要求に対応する処理を実行し（回線変更要求処理ステップ  Ｓ０３０４）、回線変更要求に対応した回線変更を実行しないとの判断結果の場合には、処理を終了する。
【００２７】
一方、通信中の相手通信端末においては、自端末側にて回線変更要求に対応した回線変更が実行されたか判断する（自端末側回線変更要求判断ステップ  Ｓ０３０５）。このとき、自端末側にて回線変更要求に対応した回線変更を実行するとの判断結果の場合には、回線変更要求に対応する処理を実行し（自端末側回線変更要求処理ステップ  Ｓ０３０６）、回線変更要求に対応した回線変更を実行しないとの判断結果の場合には、処理を終了する。
【００２８】
以上の処理は、計算機に実行させるためのプログラムで実行することができ、また、このプログラムを計算機によって読取り可能な記録媒体に記録することができる。（本明細書の全体を通して同様である。）
【００２９】
<実施形態１：効果>  本実施形態は、第一の回線を用いて他の通信端末と通信中に、第二の回線を用いた回線に切り換える通信端末である。音声通話中にテレビ電話回線へと切り替え可能となることで、通話相手の様子や表情を窺うことができる。また、テレビ電話接続中に音声専用電話回線へと切り替え可能となることで、テレビ電話に出たくない場合に回線の変更ができるため、利便性が高い。さらに、電話をかけた側（通話料金負担側）は強制的に回線切替を行なえるとすれば、利用者の意思を適切に反映することができる。
【００３０】
<<実施形態２>>
【００３１】
<実施形態２：概要>  実施形態２について説明する。本実施形態は、通信中の回線種又は／及び変更先の回線種（非通信中の回線種）を識別するための回線種識別情報に基づいて、利用者に対して接続変更に関する認証である回線変更認証を実行するか判断することに特徴を有する通信端末である。
【００３２】
<実施形態２：構成>  本実施形態での機能ブロックの一例を図４に示した。  図４に示す本実施形態の「通信端末」（０４００）は、「回線変更要求受信部」（０４０１）と、「回線変更判断部」（０４０２）と、「処理部」（０４０３）とを有する。さらに、回線変更判断部（０４０２）は「回線種識別情報取得手段」（０４０４）と、「回線変更認証実行判断手段」（０４０５）と、を有し、処理部（０４０３）は「回線変更認証結果依存処理手段」（０４０６）を有する。
【００３３】
「回線種識別情報取得手段」（０４０４）は、回線種識別情報を取得する。「回線種識別情報」は、通信中の回線種又は／及び変更先の回線種（非通信中の回線種）を識別するための情報であり、例えばテレビ電話回線を示す回線種識別情報は「００」、音声専用回線を示す回線種識別情報は「０１」などが該当する。回線種識別情報は、回線接続中の映像・音声データから取得できる場合もあるし、通信端末に装備されたカメラや表示画面の起動状態から取得できる場合もある（例えば、カメラが起動していればテレビ電話使用中と判断する）。
【００３４】
「回線変更認証実行判断手段」（０４０５）は、前記回線種識別情報に基づいて、利用者に対して接続変更に関する認証である回線変更認証を実行するか判断する。例えば、取得した回線種識別情報から通信中の回線種がテレビ電話回線（変更先の回線種が音声専用回線）であると認められ、かつ、回線変更要求が利用中のテレビ電話回線を音声専用回線に切り替えることを要求する場合には、利用者に対して接続変更に関する認証である回線変更認証を行わないで、そのまま回線変更を実行すると判断することが想定される。他方、取得した回線種識別情報から通信中の回線種が音声専用回線（変更先の回線種がテレビ電話回線）であると認められ、かつ、回線変更要求が利用中の音声専用回線をテレビ電話回線に切り替えることを要求する場合には、回線変更認証を実行すると判断を行なう。回線変更認証の実行のために利用者に対して接続変更に関する認証である回線変更認証の入力を促す。ここで、回線変更認証の入力とは、利用中の回線を他回線に切り替えることを報知するために行なわれた各手段（表示画面への表示、バイブレータ・音声などによる報知など）に対応して、利用者が切替を承諾するかどうかを示すために行なう入力をいう。回線変更認証の入力により利用者が回線変更を認める場合には回線変更を実行するとの判断を行う。
【００３５】
上記例では、テレビ電話回線から音声専用回線への切り替えは回線変更認証の実行なしに即座に実行するのに対して、音声専用回線からテレビ電話回線への切り替えは回線変更認証を実行することとしたが、これはすでに映し出されていた利用者の映像が急に途絶えることよりも、急に映し出されることの方が利用者にとって心理的負担があることを考慮したものであるが、これに限定されるものではない。
【００３６】
「回線変更認証結果依存処理手段」（０４０６）は、前記回線変更認証が行われた場合に回線変更認証結果に応じて回線変更のための処理を実行する。回線変更認証の入力により利用者が回線変更を認めたとの回線変更認証結果の場合に回線変更のための処理を実行する。利用者が回線変更を認めないとの回線変更認証結果の場合には、回線変更のための処理を実行することはできない。なお、回線変更認証を実行しない場合には、実施形態１にて示したように、回線変更判断部での判断結果に基づいて回線変更要求に対応する処理を実行する。
【００３７】
その他各部の処理については、実施形態１と同様である。
【００３８】
<実施形態２：処理の流れ>  図５は、実施形態２における第一の回線を用いて他の通信端末と通信中に第二の回線を用いた通信に切り換える通信端末での接続切替方法の処理の流れの一例を示したものである。前提として、すでに、通信端末同士の接続は開始されているものとする。まず、自端末では、通信中の回線種又は／及び変更先の回線種を識別する回線種識別情報を取得する（回線種識別情報取得ステップＳ０５０１）。次に、通信中の相手通信端末は、回線変更要求を出力し（回線変更要求出力ステップ  Ｓ０５０２）、自端末は、前記回線変更要求を受信する（回線変更要求受信ステップ  Ｓ０５０３）。さらに、前記回線種識別情報に基づいて、利用者に対して接続変更に関する認証である回線変更認証を実行するか判断し（回線変更認証実行判断ステップ  Ｓ０５０４）、回線変更認証を実行する場合には、さらに回線変更認証の結果を判断する（回線変更認証結果判断ステップ  Ｓ０５０５）。このとき、回線変更認証が可能であるとの判断結果の場合には、回線変更認証結果に応じて回線変更のための処理を実行し（回線変更認証実行ステップ  Ｓ０５０６）、回線変更認証が不可能であるとの判断結果の場合には、処理を終了する。
【００３９】
また、回線変更認証実行判断ステップ（Ｓ０５０４）にて、回線変更認証を実行しないとの判断結果の場合には、前記回線変更要求に対応した回線変更を実行するか判断する（回線変更要求判断ステップ  Ｓ０５０７）。このとき、回線変更要求に対応した回線変更を実行するとの判断結果の場合には、回線変更要求に対応する処理を実行し（回線変更要求処理ステップ  Ｓ０５０８）、回線変更要求に対応した回線変更を実行しないとの判断結果の場合には、処理を終了する。
【００４０】
なお、図示していないが、通信中の相手端末においても、自端末と同様にＳ０５０１、Ｓ０５０４〜Ｓ０５０８の処理を行うとしてもよい。
【００４１】
以上の処理は、計算機に実行させるためのプログラムで実行することができ、また、このプログラムを計算機によって読取り可能な記録媒体に記録することができる。（本明細書の全体を通して同様である。）
【００４２】
<実施形態２：効果>  本実施形態は、通信中の回線種又は／及び変更先の回線種（非通信中の回線種）を識別するための回線種識別情報に基づいて、利用者に対して接続変更に関する認証である回線変更認証を実行するか判断することに特徴を有する通信端末である。テレビ電話回線から音声専用回線への切り替えは回線変更認証の実行なしに即座に実行するのに対して、音声専用回線からテレビ電話回線への切り替えは回線変更認証を実行できるとしてもよい。このように、すでに映し出されていた利用者の映像が急に途絶えることよりも、急に映し出されることの方が利用者にとって心理的負担があることを考慮し、前もって対処することができる。
【００４３】
<<実施形態３>>
【００４４】
<実施形態３：概要>  実施形態３について説明する。本実施形態は、回線種識別情報に基づいて選択された報知手段にて回線変更認証の入力を促すことに特徴を有する通信端末である。
【００４５】
<実施形態３：構成>  本実施形態での機能ブロックの一例を図６に示した。  図６に示す本実施形態の「通信端末」（０６００）は、「回線変更要求受信部」（０６０１）と、「回線変更判断部」（０６０２）と、「処理部」（０６０３）とを有する。さらに、回線変更判断部（０６０２）は「回線種識別情報取得手段」（０６０４）と、「回線変更認証実行判断手段」（０６０５）と、「回線変更認証報知手段」（０６０６）を有し、処理部（０６０３）は「回線変更認証結果依存処理手段」（０６０７）を有する。
【００４６】
「回線変更認証報知手段」（０６０６）は、前記回線変更認証の入力を促すための処理を行う。回線変更認証の入力を促すための処理としては、利用中の回線を他回線に切り替える前に、利用者が切替を承諾するかどうかを示すために切替の可否を入力させる処理をいう。具体的には、表示画面への表示、バイブレータ・音声出力などの処理のうち、いずれか一、または、二以上の処理の組み合わせによる報知などが該当する。図７に、表示画面へ切替確認のメッセージが表示される態様の一例を示した。これに対して利用者は、ボタン操作などを行い、切替を承諾するかどうかを入力することができる。また、バイブレータ・音声出力などによって、回線切替確認を促す場合もある。この場合も、特定の操作を行うことによって、切替を承諾するかどうかを入力することができる。
【００４７】
上述のように、回線変更認証報知手段は表示画面への表示、バイブレータ・音声出力など複数存在する。図６では、前記回線種識別情報に基づいてこれら複数の回線変更認証報知手段から選択した一の回線変更認証報知手段を示した。例えば、取得した回線種識別情報から通信中の回線種がテレビ電話回線（変更先の回線種が音声専用回線）であると認められる場合には、切替前の段階では利用者は通話相手が表示されている表示画面を視認していることが想定されるため、回線変更認証報知手段としては表示画面への表示を選択するとしてもよい。逆に、取得した回線種識別情報から通信中の回線種が音声専用回線（変更先の回線種がテレビ電話回線）であると認められる場合には、切替前の段階では利用者はスピーカー部分に耳をつけ、表示画面は視認していないことが想定されるため、回線変更認証報知手段としてはバイブレータや音声出力を選択することが望ましいといえる。なお、表示画面への表示、バイブレータ・音声出力をすべて選択し、同時に複数の手段にて回線変更認証の入力が促される場合もある。
【００４８】
その他各部の処理については、実施形態２と同様である。
【００４９】
<実施形態３：効果>  本実施形態は、回線種識別情報に基づいて選択された報知手段にて回線変更認証の入力を促すことに特徴を有する通信端末である。回線種識別情報に基づいて切替前における利用者の様子（表示画面を視認しているかどうかなど）を想定し、もっとも適切な報知手段にて回線変更認証の入力を促すことができ、利便性が高い。
【００５０】
<<実施形態４>>
【００５１】
<実施形態４：概要>  実施形態４について説明する。本実施形態は、回線変更完了情報を取得した場合に報知を行うことに特徴を有する通信端末である。
【００５２】
<実施形態４：構成>  本実施形態での機能ブロックの一例を図８に示した。  図８に示す本実施形態の「通信端末」（０８００）は、「回線変更要求受信部」（０８０１）と、「回線変更判断部」（０８０２）と、「処理部」（０８０３）とを有する。さらに、処理部（０８０３）は「回線変更完了情報取得手段」（０８０４）と、「接続完了報知手段」（０８０５）と、を有する。
【００５３】
「回線変更完了情報取得手段」（０８０４）は、回線変更完了情報を取得する。「回線変更完了情報」は、回線変更の完了を示す情報である。回線変更完了情報は、例えば、回線変更完了に同期して特定の値（例えば、１など）をとり、後述する接続完了報知手段（０８０５）にて報知を行った後には、初期値（例えば、０など）に戻すことが想定される。また、回線変更の完了は、自端末の回線変更の完了だけでなく、相手端末の回線変更の完了も含まれる場合がある。
【００５４】
「接続完了報知手段」（０８０５）は、前記回線変更完了情報取得手段（０８０４）が前記回線変更完了情報を取得した場合に報知を行う。具体的には、表示画面への表示、バイブレータ・音声出力などの処理のうち、いずれか一、または、二以上の処理の組み合わせによる報知などが該当する。図９に、表示画面へ回線変更完了のメッセージが表示される態様の一例を示した。これに対して利用者は、ボタン操作などを行い、応答を返すとしてもよい。また、バイブレータ・音声出力などの場合は、特定の振動や音によって回線変更完了を示すこととなる。
【００５５】
上述のように、接続完了報知手段は表示画面への表示、バイブレータ・音声出力など複数存在する。図８では、前記回線種識別情報に基づいてこれら複数の接続完了報知手段から選択した一の接続完了報知手段を示した。図示していないが、回線種識別情報取得手段を有し、取得した回線種識別情報から通信中の回線種がテレビ電話回線（変更先の回線種が音声専用回線）であると認められる場合には、切替前の段階では利用者は通話相手が表示されている表示画面を視認していることが想定されるため、接続完了報知手段としては表示画面への表示を選択するとしてもよい。利用者は、表示画面の表示によって、スピーカー部分に耳をつけ音声通話を行なうことが促される。逆に、回線種識別情報から通信中の回線種が音声専用回線（変更先の回線種がテレビ電話回線）であると認められる場合には、切替前の段階では利用者はスピーカー部分に耳をつけ、表示画面は視認していないことが想定されるため、接続完了報知手段としてはバイブレータや音声出力を選択することが望ましいといえる。利用者は、スピーカーや通信端末の振動によって、スピーカー部分から耳を離し、表示画面に注目しながらテレビ電話を行なうことが促される。なお、表示画面への表示、バイブレータ・音声出力をすべて選択し、同時に複数の手段にて接続完了が報知される場合もある。
【００５６】
その他各部の処理については、実施形態１と同様である。
【００５７】
<実施形態４：処理の流れ>  図１０は、実施形態４での処理の流れの一例を示したものである。まず、通信中の相手通信端末から回線変更要求を受信する（回線変更要求受信ステップ  Ｓ１００１）。次に、前記回線変更要求に対応した回線変更を実行するか判断する（回線変更要求判断ステップ  Ｓ０１０２）。このとき、回線変更要求に対応した回線変更を実行するとの判断結果の場合には、回線変更要求に対応する処理を実行し（回線変更要求処理ステップ  Ｓ１００３）、回線変更要求に対応した回線変更を実行しないとの判断結果の場合には、処理を終了する。
【００５８】
回線変更要求に対応する処理が完了したかどうかを判断し（回線変更完了判断ステップ  Ｓ１００４）、回線変更の完了を示す回線変更完了情報を取得する（回線変更完了情報取得ステップ  Ｓ１００５）。最後に、回線変更完了の報知を行う（接続完了報知ステップ  Ｓ１００６）。
【００５９】
<実施形態４：効果>  本実施形態は、回線変更完了情報を取得した場合に報知を行うことに特徴を有する通信端末である。これにより、急に回線が切り替わった場合でも困惑することなく、他回線に対応する通話方法の体勢を整えることができる。また、回線種識別情報に基づいて切替前における利用者の様子（表示画面を視認しているかどうかなど）を想定し、もっとも適切な報知手段にて接続完了を報知することができ、利便性が高い。
【００６０】
<<実施形態５>>
【００６１】
<実施形態５：概要>  実施形態５について説明する。本実施形態は、利用者の部位が通信端末より所定量離れたかの判断結果に応じて入出力モードを切り換え、さらに、その切り換えをトリガーとして、回線変更に関する入力を促すための回線変更促進画面を出力することに特徴を有する通信端末である。
【００６２】
<実施形態５：構成>  本実施形態での機能ブロックの一例を図１１に示した。  図１１に示す本実施形態の「通信端末」（１１００）は、「回線変更要求受信部」（１１０１）と、「回線変更判断部」（１１０２）と、「処理部」（１１０３）とを有し、さらに、「離間判断部」（１１０４）と、「入出力切換部」（１１０５）と、「回線変更出力部」（１１０６）とを有する。
【００６３】
「離間判断部」（１１０４）は、利用者の部位が通信端末より所定量離れたか判断する。「利用者の部位」は、利用者の体の部位、頭部（特に耳など）が該当する。その他、通信端末がパソコンなどである場合には、手（キーボードからの離間）、体の向きなどが該当するとしてもよい。所定量離れたかの判断は、通信端末に備えられた接触センサなどを用いて判定される。接触センサとしては、圧電センサ、静電センサ、赤外線センサ、超音波センサ、方向や位置を検知するジャイロセンサなどが該当する。利用者の部位が通信端末より所定量離れたと判断される場合は、利用者は表示画面を注目し、テレビ電話を行っていることが想定され、逆に、利用者の部位が通信端末より所定量離れていないと判断される場合は、利用者はスピーカーに耳を当てて、音声通話を行っていることが想定される。このときの閾値となる所定量は、適宜利用者が入力、変更できるとしてもよい。
【００６４】
「入出力切換部」（１１０５）は、前記離間判断部（１１０４）での判断結果に応じて入出力モードを切り換える。例えば、利用者の部位が通信端末より所定量離れたと判断される場合は、利用者がスピーカーから耳を離したことが想定されるため、ハンズフリーモードにすることが該当する。逆に、利用者の部位が通信端末より所定量離れていない（通信端末に近づいた）と判断される場合は、利用者がスピーカーに耳を当てていることが想定されるため、ハンズフリーモードを解除するとしてもよい。
【００６５】
「回線変更出力部」（１１０６）は、前記入出力切替部（１１０５）の切り換えをトリガーとして、回線変更に関する入力を促すための回線変更促進画面を出力するための処理を行う。入出力切換部において、通常モードからハンズフリーモードへの切替がなされたとき、あるいは、ハンズフリーモードから通常モードへの切替がなされたときに回線変更促進画面を出力するための処理が行われる。ここで、回線変更促進画面の出力とは、利用中の回線を他回線に切り替えるために、切替を報知するメッセージが表示された表示画面や、利用者が切替を承諾するかどうかを示すための入力が可能な表示画面を出力することである。利用者は出力された回線変更促進画面の表示を確認し、あるいは、切替の可否を入力することができる。
【００６６】
その他各部の処理については実施形態１と同様である。
【００６７】
<実施形態５：処理の流れ>  図１２は、実施形態５での処理の流れの一例を示したものである。まず、利用者の部位が通信端末より所定量離れたか判断する（離間判断ステップ  Ｓ１２０１）。前記離間判断ステップ（Ｓ１２０１）での判断結果に応じて入出力モードを切り換える（入出力切換ステップ  Ｓ１２０２）。さらに、入出力切換ステップ（Ｓ１２０２）にて入出力モードの切り換えが行なわれたどうかを判断し（切替判断ステップ  Ｓ１２０３）、切り換えが行なわれたとの判断結果の場合には、切替をトリガーとして回線変更に関する入力を促すための回線変更促進画面を出力するための処理を行う（回線変更出力ステップ  Ｓ１２０４）。切り換えが行なわれていないとの判断結果の場合には、処理を終了する。
【００６８】
<実施形態５：効果>  本実施形態は、利用者の部位が通信端末より所定量離れたかの判断結果に応じて入出力モードを切り換え、さらに、その切り換えをトリガーとして、回線変更に関する入力を促すための回線変更促進画面を出力することに特徴を有する通信端末である。これにより、利用者による通信端末の利用の仕方によって自動的に通常モードと、ハンズフリーモード等の入出力モードの切り替えがなされ、かつ、回線変更に関する入力を促すための回線変更促進画面が出力されるため、利用者にとって利便性が高い。
【００６９】
<<実施形態６>>
【００７０】
<実施形態６：概要>  実施形態６について説明する。本実施形態は、相手通信端末が利用可能な回線種を識別する相手回線種識別情報に基づいて、回線変更のための入力を無効にすることに特徴を有する通信端末である。
【００７１】
<実施形態６：構成>  本実施形態での機能ブロックの一例を図１３に示した。  図１３に示す本実施形態の「通信端末」（１３００）は、「回線変更要求出力部」（１３０１）と、さらに、「相手回線種識別情報取得部」（１３０２）と、「回線変更入力無効部」（１３０３）とを有する。
【００７２】
「相手回線種識別情報取得部」（１３０２）は、相手回線種識別情報を取得する。「相手回線種識別情報」は、通信中の相手通信端末が利用可能な回線種を識別する情報である。具体的には、音声通話専用回線のみしか利用できないのか、あるいは、音声通話専用回線の他にテレビ電話回線も利用できるのかを示す情報が該当する。相手回線種識別情報は、自端末と相手端末の接続が完了した時点で相手端末から自動的に送信されるとしてもよいし、自端末からの送信命令などに応じて相手端末から送信されるとしてもよい。
【００７３】
「回線変更入力無効部」（１３０３）は、前記相手回線種識別情報に基づいて、回線変更のための入力を無効にする。例えば、相手回線種識別情報から、相手端末がテレビ電話の機能がなく、テレビ電話回線の利用ができないことが認められた場合には、自端末から回線変更要求を行ったとしてもその入力は無効となることが想定される。また、回線変更要求を行うためのボタン操作自体が無効となるとしてもよい。なお、回線変更要求処理が無効である旨は、表示画面への表示や、バイブレーション・音声出力などにより報知されるとしてもよい。
【００７４】
その他各部の処理については実施形態１と同様である。
【００７５】
<実施形態６：処理の流れ>  図１４は、実施形態６での処理の流れの一例を示したものである。まず、通信中の相手通信端末が利用可能な回線種を識別する相手回線種識別情報を取得する（相手回線種識別情報取得ステップ  Ｓ１４０１）。次に、前記相手回線種識別情報に基づいて、通信中の相手通信端末が利用可能な回線種を判断する（利用可能回線種判断ステップ  Ｓ１４０２）。このとき、利用可能な回線種が音声通話専用回線のみである場合には、さらに、出力しようとする回線変更要求がテレビ電話回線への切替変更要求でないかを判断する（切替変更要求判断ステップ  Ｓ１４０３）。回線変更要求がテレビ電話回線への切替変更要求である場合には、回線変更のための入力を無効にする（回線変更入力無効化ステップ  Ｓ１４０４）。他方、回線変更要求が音声通話専用回線への切替変更要求である場合や、相手通信端末が音声通話専用回線とテレビ電話回線の双方を利用可能である場合には、回線変更要求を出力する（回線変更出力ステップ  Ｓ１４０５）。
【００７６】
<実施形態６：効果>  本実施形態は、相手通信端末が利用可能な回線種を識別する相手回線種識別情報に基づいて、回線変更のための入力を無効にすることに特徴を有する通信端末である。これにより、相手利用者の通信端末にテレビ電話機能が備えられていない場合に、余計な回線変更要求を出力することを防止できる。
【００７７】
<<実施形態７>>
【００７８】
<実施形態７：概要>  実施形態７について説明する。本実施形態は、利用者の部位が通信端末より所定量離れたかの判断結果に応じて入出力モードを切り換え、さらに、その切り換えをトリガーとして、一方の回線を利用して通話中の通信装置との回線を、他回線へ切り換える要求である回線変更要求を出力することに特徴を有する通信端末である。
【００７９】
<実施形態７：構成>  本実施形態での機能ブロックの一例を図１５に示した。  図１５に示す本実施形態の「通信端末」（１５００）は、「離間判断部」（１５０１）と、「入出力切換部」（１５０２）と、「回線変更要求出力部」（１５０３）とを有する。
【００８０】
「回線変更要求出力部」（１５０３）は、前記入出力切替部（１５０２）の切り換えをトリガーとして、一方の回線を利用して通話中の通信装置との回線を、他回線へ切り換える要求である回線変更要求を出力する。入出力切換部において、通常モードからハンズフリーモードへの切替がなされたとき、あるいは、ハンズフリーモードから通常モードへの切替がなされたときに回線変更要求が出力される。つまり、利用者の部位が通信端末より所定量離れたと判断される場合は、利用者がスピーカーから耳を離したことが想定されるため、通常モードからハンズフリーモードに切り替えるとともに、テレビ電話回線へ切り替えるために回線変更要求を出力する。逆に、利用者の部位が通信端末より所定量離れていない（通信端末に近づいた）と判断される場合は、利用者がスピーカーに耳を当てていることが想定されるため、ハンズフリーモードを解除し、通常モードへの切替がなされるとともに、音声通話専用回線へ切り替えるために回線変更要求を出力する。
【００８１】
その他各部の処理については実施形態１と同様である
【００８２】
<実施形態７：処理の流れ>  図１６は、実施形態７での処理の流れの一例を示したものである。まず、利用者の部位が通信端末より所定量離れたか判断する（離間判断ステップ  Ｓ１６０１）。前記離間判断ステップ（Ｓ１６０１）での判断結果に応じて入出力モードを切り換える（入出力切換ステップ  Ｓ１６０２）。さらに、入出力切換ステップ（Ｓ１６０２）にて入出力モードの切り換えが行なわれたどうかを判断し（切替判断ステップ  Ｓ１６０３）、切り換えが行なわれたとの判断結果の場合には、切替をトリガーとして一方の回線を利用して通話中の通信装置との回線を、他回線へ切り換える要求である回線変更要求を出力する（回線変更出力ステップ  Ｓ１６０４）。切り換えが行なわれていないとの判断結果の場合には、処理を終了する。
【００８３】
<実施形態７：効果>  本実施形態は、利用者の部位が通信端末より所定量離れたかの判断結果に応じて入出力モードを切り換え、さらに、その切り換えをトリガーとして、一方の回線を利用して通話中の通信装置との回線を、他回線へ切り換える要求である回線変更要求を出力することに特徴を有する通信端末である。これにより、利用者の通信端末の利用の仕方によって自動的に通常モードと、ハンズフリーモード等の入出力モードの切り替えがなされ、かつ、回線変更要求が出力されるため、利用者にとって利便性が高い。
【図面の簡単な説明】
【００８４】
【図１】実施形態１を説明するための概念図
【図２】実施形態１を説明するための機能ブロック図
【図３】実施形態１の処理の流れを説明する図
【図４】実施形態２を説明するための機能ブロック図
【図５】実施形態２の処理の流れを説明する図
【図６】実施形態３を説明するための機能ブロック図
【図７】実施形態３における切替確認のメッセージが表示される態様の一例を示した図
【図８】実施形態４を説明するための機能ブロック図
【図９】実施形態４における完了確認のメッセージが表示される態様の一例を示した図
【図１０】実施形態４の処理の流れを説明する図
【図１１】実施形態５を説明するための機能ブロック図
【図１２】実施形態５の処理の流れを説明する図
【図１３】実施形態６を説明するための機能ブロック図
【図１４】実施形態６の処理の流れを説明する図
【図１５】実施形態７を説明するための機能ブロック図
【図１６】実施形態７の処理の流れを説明する図
【符号の説明】
【００８５】
０２００    通信端末
０２０１    回線変更要求受信部
０２０２    回線変更判断部
０２０３    処理部
０２１０    相手通信端末
０２１１    回線変更要求出力部
【図１】
2006253898.tif 000003
【図２】
2006253898.tif 000004
【図３】
2006253898.tif 000005
【図４】
2006253898.tif 000006
【図５】
2006253898.tif 000007
【図６】
2006253898.tif 000008
【図７】
2006253898.tif 000009
【図８】
2006253898.tif 000010
【図９】
2006253898.tif 000011
【図１０】
2006253898.tif 000012
【図１１】
2006253898.tif 000013
【図１２】
2006253898.tif 000014
【図１３】
2006253898.tif 000015
【図１４】
2006253898.tif 000016
【図１５】
2006253898.tif 000017
【図１６】
2006253898.tif 000018